(57)【要約】【課題】  記憶媒体に毎日、毎週受信される番組予約情報を記憶し、受信番組を指定される記憶媒体に記憶する番組予約記憶装置を実現する。【解決手段】  装着される記憶媒体５ａ、５ｂに繰り返し予約頻度を示す予約ホルダを作成する予約ホルダ作成手段３８８と、電子番組表から得た予約情報を外部から指定される１つの予約ホルダに記憶する予約情報記憶手段３８４と、記憶媒体の予約ホルダに記憶された予約情報を取得すると共に、ホルダ名から予約頻度を取得する予約情報取得手段３８６と、予約頻度及び予約情報に基づき繰り返し予約を設定する予約設定手段３６ａと、設定されて受信される受信信号を、複数装着される記憶媒体のうち予約情報を取得した記憶媒体上の番組記憶用ホルダに記憶する記憶手段３８７とを備えて構成した。【選択図】      図２
2008153818.tif 000002
【特許請求の範囲】
【請求項１】
放送番組に関し、各放送局が予め決めた数の予約番組情報を、着脱自在で且つ予め指定した複数の記憶媒体にそれぞれ記憶する番組予約記憶装置において、
前記複数の記憶媒体のそれぞれに前記予約番組情報を予め設定した予約条件で予約するための複数種類の予約ホルダを作成する予約ホルダ作成手段と、
前記複数種類の予約ホルダの中から、前記放送番組毎に１つの予約ホルダを指定する予約ホルダ指定手段と、
前記予約ホルダ指定手段で指定された前記予約条件に基づいて、指定された前記予約ホルダが作成された前記記憶媒体の所定領域に前記放送番組を記憶する記憶手段と、
を備えて構成したことを特徴とする番組予約記憶装置。
【請求項２】
放送番組に関し、各放送局が予め決めた数の予約番組情報を、着脱自在で且つ予め指定した複数の記憶媒体にそれぞれ記憶する番組予約記憶方法において、
前記複数の記憶媒体のそれぞれに前記予約番組情報を予め設定した予約条件で予約するための複数種類の予約ホルダを作成し、
前記作成された複数種類の予約ホルダの中から、前記放送番組毎に１つの予約ホルダを指定し、
指定された前記予約ホルダの予約条件に基づいて、指定された前記予約ホルダが作成された前記記憶媒体の所定領域に前記放送番組を記憶するようになすことを特徴とする番組予約記憶方法。
【発明の詳細な説明】
【技術分野】
【０００１】
本発明は、受信される番組を予約し、録画された番組を携帯映像端末で視聴するための記録媒体に記憶する番組予約記憶装置及び番組予約記憶方法に関する。
【背景技術】
【０００２】
最近になり、１セグメント方式による地上ディジタル放送もなされ、携帯端末による移動列車中等でも高品質の放送受信がなされるようになってきた。携帯端末で受信番組を録画することも可能である。
一方、携帯端末で任意の時刻を予約して録画することは可能であるものの、内蔵される電池の容量、移動先での受信状態により予約した番組の全てを録画することはできないこともある。そこで、自宅で、あるいは外出先で録画予約した番組をメモリカードに記憶し、そのメモリカードを携帯端末に装着して再生できることは好ましい。
【０００３】
特許文献１には、インターネット上に公開されている電子番組表から録画したいＴＶ番組情報を取込んだメモリカードを記録機に入れるだけでメモリカードにタイマ録画され、録画された番組を携帯情報端末機で視聴できる様にしたＴＶ番組の録画、再生方法が開示されている。即ち、携帯情報端末をインターネットに接続して得られる電子番組表を表示し、その中から録画したいＴＶ番組を指定する。携帯情報端末の処理手段は、番組を記録する空きメモリ容量や、番組を録画する時間帯が重複していないかをチェックする。使用者は不具合があれば予約内容を修正し、修正された録画予約情報を挿入されているメモリカードに記憶する。メモリカードのインデックスエリアには番組の開始時間、終了時間、受信チャンネルなどの予約情報が書き込まれる。使用者は予約情報の書き込まれたメモリカードをＴＶ番組記録機に挿入する。ＴＶ番組記録機は、録画開始時刻が到来する時刻に電源がＯＮされ、メモリカードに記述された予約番組が録画されるようにしたＴＶ番組の録画、再生方法が開示されている。
【特許文献１】特開２００２−６４７８２号公報
【発明の開示】
【発明が解決しようとする課題】
【０００４】
しかしながら、特許文献１に開示されているＴＶ番組の録画、再生方法では毎日又は毎週受信される番組を予約して録画する繰り返し録画までは考慮することなくメモリカードの空き容量をチェックしており、毎日乃至は毎週受信される番組に対して繰り返し録画予約を設定して録画するＴＶ番組の録画、再生方法を実現することはできなかった。
【０００５】
そこで、本発明は、上記のような問題点を解消するためになされたもので、電子番組表に記述される番組数が少なく、翌日又は翌週に受信されるシリーズ番組が電子番組表に記述されていない場合であっても、メモリカードに毎日乃至は毎週受信される番組を予約し、予約後には毎日乃至は毎週放送される番組の繰り返し録画を可能とし、番組の録画は複数装着されるメモリーカードのうち指定される方のメモリーカードに記憶する番組予約記憶装置を提供することを目的とする。
【課題を解決するための手段】
【０００６】
本願発明における第１の発明は、放送番組に関し、各放送局が予め決めた数の予約番組情報を、着脱自在で且つ予め指定した複数の記憶媒体にそれぞれ記憶する番組予約記憶装置において、前記複数の記憶媒体のそれぞれに前記予約番組情報を予め設定した予約条件で予約するための複数種類の予約ホルダを作成する予約ホルダ作成手段と、前記複数種類の予約ホルダの中から、前記放送番組毎に１つの予約ホルダを指定する予約ホルダ指定手段と、前記予約ホルダ指定手段で指定された前記予約条件に基づいて、指定された前記予約ホルダが作成された前記記憶媒体の所定領域に前記放送番組を記憶する記憶手段と、を備えて構成したことを特徴とする番組予約記憶装置を提供する。
第２の発明は、放送番組に関し、各放送局が予め決めた数の予約番組情報を、着脱自在で且つ予め指定した複数の記憶媒体にそれぞれ記憶する番組予約記憶方法において、前記複数の記憶媒体のそれぞれに前記予約番組情報を予め設定した予約条件で予約するための複数種類の予約ホルダを作成し、前記作成された複数種類の予約ホルダの中から、前記放送番組毎に１つの予約ホルダを指定し、指定された前記予約ホルダの予約条件に基づいて、指定された前記予約ホルダが作成された前記記憶媒体の所定領域に前記放送番組を記憶するようになすことを特徴とする番組予約記憶方法を提供する。
【発明の効果】
【０００７】
本発明によれば、複数の記憶媒体のそれぞれに予約番組情報を予め設定した予約条件で予約するための複数種類の予約ホルダを作成し、作成された複数種類の予約ホルダの中から、放送番組毎に１つの予約ホルダを指定し、指定された予約ホルダの予約条件に基づいて、指定された予約ホルダが作成された記憶媒体の所定領域に放送番組を記憶する手段を備えるので、電子番組表に記述される番組数が少なく、翌日又は翌週に受信されるシリーズ番組が電子番組表に記述されていない場合であっても、メモリカードに毎日乃至は毎週受信される番組を予約し、予約後には毎日乃至は毎週放送される番組の繰り返し録画を可能とし、番組の録画は複数装着されるメモリーカードのうち指定される方のメモリーカードに記憶する番組予約記憶装置を実現できる。
【発明を実施するための最良の形態】
【０００８】
以下に本発明の実施例に係る番組予約記憶装置について図１〜図８を用いて説明する。
図１は、本発明の実施に係る番組予約記憶システムの構成例を示す図である。図２は、本発明の実施に係る番組予約記憶装置の構成例を示す図である。図３は、本発明の実施に係る番組予約記憶装置の要部の構成例を示す図である。図４は、本発明の実施に係る番組予約記憶装置で用いる電子番組表の記述例を示す図である。図５は、本発明の実施に係る番組予約記憶装置の表示部に表示される表示画面例を示す図である。図６は、本発明の実施に係るメモリカードの録画予約領域の構成例を示す図である。図７は、本発明の実施に係る番組予約記憶装置の予約動作をフローチャートで示した図である。図８は、本発明の実施に係る番組予約記憶装置の記憶動作をフローチャートで示した図である。
【０００９】
その番組予約記憶装置は、電子番組表に記述される番組数が少なく、翌日又は翌週に受信されるシリーズ番組が電子番組表に記述されていない場合であっても、メモリカードに毎日乃至は毎週受信される番組を予約し、予約後には毎日乃至は毎週放送される番組の繰り返し録画を可能とし、番組の録画は複数装着されるメモリーカードのうち指定される方のメモリーカードに記憶する番組予約記憶装置を実現するという目的を、複数の記憶媒体のそれぞれに予約番組情報を予め設定した予約条件で予約するための複数種類の予約ホルダを作成する予約ホルダ作成手段と、複数種類の予約ホルダの中から、放送番組毎に１つの予約ホルダを指定する予約ホルダ指定手段と、予約ホルダ指定手段で指定された予約条件に基づいて、指定された予約ホルダが作成された記憶媒体の所定領域に放送番組を記憶する記憶手段とを備えるようにして実現した。
【００１０】
番組予約記憶システム、及びそのシステムの要素である番組予約記憶装置の構成について述べる。
図１に示す番組予約記憶システムは、サーバ１、ネットワーク２、マウス４４が接続される番組予約記憶装置３、メモリカード５ａ、５ｂ、携帯端末６ａ、６ｂより構成される。
図２に示す番組予約記憶装置３は、ＴＶチューナ３１、信号処理部３２、表示制御駆動部３３、カード録画部３４、制御部３６ａ、ＲＯＭ（Read Only Memory）３６ｂ、ＲＡＭ（Random Access Memory）３６ｃ、操作部３７ａ、予約部３８、アンテナ４１、表示部４２、及びカードスロット４３ａ、４３ｂから構成される。操作部３７ａにはマウス４４が接続される。予約部３８にはネットワーク２が接続される。
図３に示す予約部３８は、ネットワークインタフェース３８１、ＥＰＧ（Electronic Program Guide：電子番組案内）データ取得部３８２、録画モード特定部３８４、操作検出部３８５、制御部３８６、メモリライタ部３８７、メモリ初期化部３８８、及び表示画面生成部３８９より構成される。ネットワークインタフェース３８１にはネットワーク２が接続される。操作検出部３８５にはマウス４４が接続される。表示画面生成部３８９には表示部４２が接続される。メモリライタ部３８７にはカードスロット４３ａ及び４３ｂが接続される。
【００１１】
番組予約記憶システム、及び番組予約記憶装置の動作について述べる。
まず、メモリカード５ａが番組予約記憶装置３のカードスロット４３ａに装着されるとメモリカード５ａには録画予約の頻度の種類に応じたホルダが形成される。録画予約頻度の種類は、例えば毎日録画、毎週録画、及び１回限り録画などである。次に、マウス４４が操作され、番組予約記憶装置３はネットワーク２を介してサーバ１に記憶されているＥＰＧを取得し、取得されたＥＰＧの記述内容を表示部４２に表示する。使用者はマウス４４を操作し録画予約する番組を選択すると共に、選択された番組の繰り返し予約の頻度に係る表示を表示部４２に行わせる。使用者は表示された繰り返し予約頻度のうちの一つを選択する。選択された番組に係り記述される番組情報は、メモリカード５ａに形成された録画予約の頻度の種類に応じたホルダのうち該当する種類の予約頻度のホルダに格納される。番組予約記憶装置３はカードスロット４３ａに装着されたメモリカード５ａに形成したホルダに格納された番組情報を基に、該当する録画予約頻度の種類に応じて繰り返し録画予約を設定する。予約して受信される番組信号はメモリカード５ａのビデオ信号記録領域に記憶される。カードスロット４３ａから取り出されたメモリカード５ａは携帯端末６ａに装着され、再生される。
【００１２】
同様にしてメモリカード５ｂをカードスロット４３ｂに装着し、予約した番組の記憶されるメモリカード５ｂを携帯端末６ｂに装着し、録画番組を再生できる。複数の使用者により複数の携帯端末が所有される場合であっても、複数のメモリカードを使用者毎に管理した録画及び再生を行うことが出来る。
特に、現在なされている地上ディジタル放送での１セグメントを用いる１セグ放送の場合では、放送番組の予約に係る予約番組情報の数は放送局により異なっており、２番組程度からせいぜい１０番組程度の予約番組情報（ＥＰＧ情報）しか送信されていない。メモリカード５ａ、５ｂに録画予約の頻度の種類に応じたホルダを形成することにより、ＥＰＧ情報の得られてない受信番組を予約して録画することがでる。翌日放送される番組はもとより、翌週受信される番組をも指定し、録画予約を設定することが出来る。１セグメント放送信号は携帯端末での受信を想定してなされる放送である。受信信号の伝送レートは小さく設定されるため、市場に導入されているメモリカードを用い、実用上差し支えのない録画時間を確保できている。
【００１３】
図２を参照し、番組予約記憶装置３についてさらに述べる。
ＴＶチューナ３１はアンテナ４１から供給される地上ディジタル受信信号を選局し、１３あるセグメントのうち１つのセグメント信号を復調し圧縮符号化され、誤り訂正処理のなされた変調信号を得る。信号処理部３２は変調信号の誤り訂正処理を行い、圧縮符号化のなされたビットストリームを得、さらにビットストリームを復号化し映像信号を得る。表示制御駆動部３３は映像信号を表示部４２で表示させるための信号形式に変換する。表示制御駆動部３３はビットストリームを復号化し、映像信号を得る。表示部４２は復号化して得られた映像信号を表示する。ここで、カード録画部３４は、ビットストリームが予約録画に基づく信号である場合にはそのビットストリームを予約情報の格納されるメモリーカードに記憶させる。この場合、カード録画部３４は録画するビットストリームがコピーワンスのフラグが付されるビットストリームである場合にはビットストリームに所定の暗号化を施す。
【００１４】
予約部３８は、カードスロット４３ａ及び４３ｂ、に装着されるメモリカード５ａ及び５ｂには録画予約の頻度の種類に応じたホルダを形成する、選択される頻度のホルダに予約する番組情報を記憶させる、選択されたホルダに記憶されている番組情報を読み出す、及び予約して受信されるビットストリームを記憶するメモリカードを指定するなどの動作を行う。制御部３６ａは番組予約記憶装置３の各回路部の動作を制御する。ＲＯＭ３６ｂには制御部３６ａを動作させるためのコンピュータプログラムが格納されており、ＲＡＭ３３６ｃには制御部３６ａが動作して生成された、録画予約に係り生成された繰り返し録画に係る設定情報などが記憶される。制御部３６ａには時計機能が内蔵されており、現在時刻が認識される。
【００１５】
次に、詳細に説明する。
まず、図３のメモリライタ部３８７によりカードスロット４３ａ、４３ｂにメモリカード５ａ、５ｂの装着が検出されたときは、メモリカード５ａ、５ｂに録画予約の頻度の種類に応じたホルダが形成されているかを検出する。録画予約の頻度の種類に応じたホルダの形成が検出されない場合には、メモリ初期化部３８８は、メモリカード５ａ乃至は５ｂに例えば毎日録画、日曜を除く毎日録画、土日を除く毎日録画、毎週録画、及び１回限り録画など録画予約の頻度の種類に応じたホルダを記憶させる。
操作検出部３８５は、操作部３７ａの図示しないスイッチやマウス４４が操作されて得られる操作情報を取得する。操作情報がＥＰＧ表示に係る情報である場合に、ＥＰＧデータ取得部３８２はネットワークインタフェース３８１及びネットワーク２を介してＥＰＧ情報をサーバ１から取得する。または、信号処理部３２から受信中のビットストリームに含まれるＥＰＧ情報を取得する。取得されたＥＰＧ情報は表示画面生成部３８９で表示用画面として生成され、表示部４２に供給され、表示される。録画モード特定部３８４は、操作検出部３８５で検出される操作情報を基に予約して録画する番組、その番組の録画頻度、及び番組を記憶するメモリーカードを特定する。制御部３８６は、特定された番組の予約を設定すると共に、録画する番組及びその番組の録画頻度に係る情報をメモリーカード５ａ、５ｂのうちの録画する方のメモリーカードに記憶させる。即ち、メモリライタ部３８７は、録画が設定された方のメモリーカードの指定される録画頻度のホルダに予約する番組情報を書き込む。
【００１６】
図４〜図６を参照し、表示部４２に表示される画面を基に行う録画予約について述べる。
図４に示すＥＰＧ表示画面は１０月２４日に放送者Ａ〜Ｃよりなされる１９、２０時における番組表である。番組毎に予約アイコンが設けられており、使用者は操作部３７ａに接続されるマウス４４を操作し、予約すべき番組の予約アイコンをクリックする。
図５（Ａ）は予約アイコンをクリックした時に表示される画面である。使用者は視聴予約又は録画予約を選択する。録画予約を選択する場合にはその予約が１回限りであるか、毎週か、日曜を除く毎日か、土日を除く毎日か、乃至は毎日であるかなど周期的な予約条件を選択する。例えば、毎週を選択すると図５（Ｂ）が表示される。その表示は、録画予約は毎週であり、受信する番組は放送局Ｃより２００６年１０月２４日の２０〜２１時になされ、番組のタイトル名は旅番組「秋の▽▽」であるとする番組情報である。確認アイコンが操作されると番組情報は制御部３８６に送られる。
ここで、放送局名と受信チャンネルの関係は、受信者の住所を例えば郵便番号を用いて予約機に入力しておくことによりに一義的に関連付けられる。受信局名を受信チャンネル番号に置換した番組情報として作成するようにしても良い。
【００１７】
図６は、メモリ初期化部３８８により、メモリカード５ａに初期設定された録画予約ホルダの構成図である。制御部３８６はメモリカード５ａの名称がＳＤ／ＭＭＣであり、装置記号はＤ：として認識されている。メモリカード５ａには録画する映像信号を記録するＳＤ＿ＶＩＤＥＯディレクトリと、録画予約情報を記憶する録画予約ディレクトリとがある。録画予約ディレクトリには１回限り、毎週、日曜を除く毎日、土日を除く毎日、及び毎日ホルダがある。制御部３８６は、図５（Ｂ）で示した番組情報を録画予約ディレクトリの毎週ホルダに格納する。
カードスロット４３ａに格納されるメモリカード５ａの毎週ホルダに格納される番組情報を検出し、予約し、受信して信号処理部３２から得られた訂正済み信号（ビットストリーム）はＳＤ＿ＶＩＤＥＯディレクトリに録画（記憶）される。ビットストリームの録画されたメモリカード５ａを、例えば携帯端末６ａのカードスロット６３ａに挿入し、携帯端末６ａの再生操作を行うことによりメモリカード５ａのＳＤ＿ＶＩＤＥＯディレクトリに記憶される番組が再生される。
【００１８】
図７を参照して番組予約記憶装置３の予約動作の流れについて説明する。
まず、メモリーカード５ａが最初にカードスロット４３ａに挿入された場合に、Ｓ（ステップ）６１でメモリーカード５ａに録画予約の頻度の種類に応じたホルダを作成する。Ｓ６２で、予約部３８はサーバ１からＥＰＧに係る記述情報を取得する。Ｓ６３で、取得したＥＰＧ情報を表示するための画面情報を作成し、表示部４２に表示させる。Ｓ６４で、使用者は表示画面を基に録画予約する番組をマウス４４を操作して選択する。Ｓ６５で、制御部３８６はＥＰＧに係る記述情報から予約された番組に係る記述情報を取得する。Ｓ６６で、予約された番組の繰り返し予約に係る表示画面を表示し、繰り返し予約の頻度情報を得る。Ｓ６７で、予約部３８は予約された番組のＥＰＧの記述情報を、メモリーカード５ａの指定された頻度のホルダに記憶する。Ｓ６８で、さらに予約する番組があるかを使用者に尋ね、ある場合はＳ６３からの動作を繰り返し、ない場合には録画予約のフローを終了する。
【００１９】
図８を参照して録画動作の流れについて説明する。
Ｓ８１において、メモリーカード５ａがカードスロット４３ａに挿入されたかを検出する。挿入された場合には、録画予約ディレクトリのホルダで予約情報が記述される箇所を検出し、格納されるホルダの場所に係る情報と、番組に係り記述される予約情報とを取得する。Ｓ８３で、制御部３５ａは予約情報の記述内容を基に録画予約の設定を行う。Ｓ８４で、予約された時刻が到来したらＴＶチューナ３１は予約されたチャンネルの信号を受信する。Ｓ８５で、受信信号の復調処理、復号処理、及び誤り訂正処理を行う。Ｓ８６で、誤り訂正処理をして得られた誤り訂正済み信号（ビットストリーム）を、ＳＤ＿ＶＩＤＥＯの名称が付される映像信号記録用ホルダに記録（記憶）する。Ｓ８７でメモリカードが外されたとして検出された場合は録画動作を終了し、外されない場合にはＳ８４からの動作を継続する。
【００２０】
なお、メモリカード５ａについて説明したが、メモリカード５ｂはカードスロット４３ｂに挿入されて同様に動作する。さらに、メモリカード５ａ、５ｂを反対側の挿入口であるカードスロット４３ｂ、４３ａに挿入する場合であっても予約部３８はメモリカード５ａ乃至は５ｂに記憶される録画予約を検出し、録画予約の検出される方のメモリーカードに受信信号を記憶する。従って、２人の使用者が携帯端末６ａ、６ｂのそれぞれを使用する場合であっても、使用者がメモリカード５ａ、５ｂを使い分けることにより、他方のメモリーカードに録画番組が誤って記憶されてしまうことはない。
そして、使用者がメモリーカードを複数所有し、嗜好に応じたジャンルの番組をそれぞれのメモリーカードに記憶させようとする場合は、メモリーカード毎に嗜好に応じたジャンルの番組を予約することによりジャンル分けされた番組予約、及び記憶を行うことが出来る。
さらに、カードスロットを３つ以上設けて、３個以上のメモリーカードを挿入することによってもメモリーカード毎に予約された番組のみが記憶されるため、３以上のメモリーカードに対して所望の番組が記憶されることになる。
【００２１】
また、メモリカード５ａとメモリカード５ｂとは同一種類のメモリーカードを用いるとして述べた。メモリカード５ａとメモリカード５ｂとを、例えばＳＤカードとメモリースティックにより構成することもできる。メモリーカードとメモリースティックとは暗号化方式や記録方式が異なっている。例えば、受信して得られる信号がコピーワンスのフラグが付されるビットストリームである場合に、二人の使用者は同時にそのビットストリームを記録することは禁止される。二人の使用者が別々のメモリーカードを用いて同一の番組を録画しようとする場合、その番組がコピーワンスである場合は片方のメモリーカードにしか録画が許可されていない。二人の使用者のそれぞれが、ＳＤカードとメモリースティックとを用いて同一のコピーワンスの番組を録画する場合には、それぞれの記録フォーマットが異なっているため同一番組を同時に録画することができる。
【００２２】
以上のように、本実施例で記述した番組予約記憶装置によれば、装着される記憶媒体５ａ、５ｂに繰り返し予約の予約頻度を示すホルダ名を付した予約ホルダを作成する予約ホルダ作成手段３８８と、電子番組表から予約する番組として選択された予約番組の開始時刻、終了時刻又は番組の放送時間及びチャンネル番号などの放送局を示す情報が記述された予約情報を、予約ホルダ作成手段により作成された異なる予約頻度ごとの予約ホルダのうち外部から指定される１つの予約ホルダに記憶する予約情報記憶手段３８４と、装着される記憶媒体の予約ホルダに記憶された予約情報を取得すると共に、取得した予約情報が記憶されている予約ホルダのホルダ名から予約頻度を取得する予約情報取得手段３８６と、予約情報取得手段で取得された予約頻度及び予約情報に基づき受信番組の繰り返し予約を設定する予約設定手段３６ａと、予約設定手段で設定されて受信して得られる受信信号を、複数装着される記憶媒体のうち予約情報を取得した記憶媒体上の番組記憶用ホルダに記憶する記憶手段３８７と、を備えるので、電子番組表に記述される番組数が少なく、翌日又は翌週に受信されるシリーズ番組が電子番組表に記述されていない場合であっても、メモリカードに毎日乃至は毎週受信される番組を予約し、予約後には毎日乃至は毎週放送される番組の繰り返し録画を可能とし、番組の録画は複数装着されるメモリーカードのうち指定される方のメモリーカードに記憶する番組予約記憶装置を実現できる。
【図面の簡単な説明】
【００２３】
【図１】本発明の実施に係る番組予約記憶システムの構成例を示す図である。
【図２】本発明の実施に係る番組予約記憶装置の構成例を示す図である。
【図３】本発明の実施に係る番組予約記憶装置の要部の構成例を示す図である。
【図４】本発明の実施に係る番組予約記憶装置で用いる電子番組表の記述例を示す図である。
【図５】本発明の実施に係る番組予約記憶装置の表示部に表示される表示画面例を示す図である。
【図６】本発明の実施に係るメモリカードの録画予約領域の構成例を示す図である。
【図７】本発明の実施に係る番組予約記憶装置の予約動作をフローチャートで示した図である。
【図８】本発明の実施に係る番組予約記憶装置の記憶動作をフローチャートで示した図である。
【符号の説明】
【００２４】
１    サーバ
２    ネットワーク
３    番組予約記憶装置
５ａ、５ｂ    メモリカード
６ａ、６ｂ    携帯端末
３１    ＴＶチューナ
３２    信号処理部
３３    表示制御駆動部
３４    カード録画部
３６ａ    制御部
３６ｂ    ＲＯＭ
３６ｃ    ＲＡＭ
３７ａ    操作部
３８    予約部
４１    アンテナ
４２    表示部
４３ａ、４３ｂ    カードスロット
４４    マウス
３８１    ネットワークインタフェース
３８２    ＥＰＧデータ取得部
３８４    録画モード特定部
３８５    操作検出部
３８６    制御部
３８７    メモリライタ部
３８８    メモリ初期化部
３８９    表示画面生成部
【図１】
2008153818.tif 000003
【図２】
2008153818.tif 000004
【図３】
2008153818.tif 000005
【図４】
2008153818.tif 000006
【図５】
2008153818.tif 000007
【図６】
2008153818.tif 000008
【図７】
2008153818.tif 000009
【図８】
2008153818.tif 000010